【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレスチャネル上で複数のリアルタイムトランスポート（ＲＴＰ）パケットを受信することと、前記複数のＲＴＰパケットの各々は、少なくとも１つのＲＴＰパラメータと、少なくとも１つのパケットデータコンバージェンスプロトコル（ＰＤＣＰ）パラメータとを含む、
前記受信されたＲＴＰパケットを復号するために、ロバストヘッダ圧縮（ＲＯＨＣ）伸張を適用することと、ここにおいて、復号失敗が前記パケットのうちの少なくとも１つについて発生する、
前記少なくとも１つのＰＤＣＰパラメータのうちの対応するＰＤＣＰパラメータに基づいて、前記失敗した少なくとも１つのパケットの少なくとも１つのＲＴＰパラメータを推定することと、
前記少なくとも１つの推定されたＲＴＰパラメータを使用して、前記失敗した少なくとも１つのパケットを復号することと
を備える、方法。
【請求項２】
前記少なくとも１つの推定されたＲＴＰパラメータが、ＲＴＰシーケンス番号（ＳＮ）とＲＴＰタイムスタンプとを備える、請求項１に記載の方法。
【請求項３】
前記対応するＰＤＣＰパラメータが、ＰＤＣＰ  ＳＮとＰＤＣＰ受信時間とを備える、請求項２に記載の方法。
【請求項４】
前記少なくとも１つのＲＴＰパラメータを推定することが、前記失敗した少なくとも１つのパケットのＰＤＣＰシーケンス番号（ＳＮ）と、前の正常に復号されたパケットのＰＤＣＰ  ＳＮとの間の差に基づいて、前記失敗した少なくとも１つのパケットのＲＴＰ  ＳＮを推定することを備える、請求項１に記載の方法。
【請求項５】
前記失敗した少なくとも１つのパケットの前記推定されたＲＴＰ  ＳＮが、以下の式に基づいて計算され、
【数１】
2018529296.tif 000001
上式で、
ＳＮPDCP,f＝前記失敗した少なくとも１つのパケットのＰＤＣＰ  ＳＮ、
ＳＮPDCP,sd＝前記前の正常に復号されたパケットのＰＤＣＰ  ＳＮ、および
ＳＮRTP,sd＝前記前の正常に復号されたパケットのＲＴＰ  ＳＮ
である、請求項４に記載の方法。
【請求項６】
前記少なくとも１つのＲＴＰパラメータを推定することが、推定されたＲＴＰタイムスタンプを生成するために、前記失敗した少なくとも１つのパケットのＰＤＣＰ受信時間と、前記前の正常に復号されたパケットのＰＤＣＰ受信時間との間の差に基づいて、前記失敗した少なくとも１つのパケットのＲＴＰタイムスタンプを推定することをさらに備える、請求項４に記載の方法。
【請求項７】
前記少なくとも１つのＲＴＰパラメータを推定することが、前記失敗した少なくとも１つのパケットの前記推定されたＲＴＰ  ＳＮと、前記前の正常に復号されたパケットのＲＴＰ  ＳＮとの間の差に基づいて、前記失敗した少なくとも１つのパケットのＲＴＰタイムスタンプを推定することをさらに備える、請求項４に記載の方法。
【請求項８】
前記失敗した少なくとも１つのパケットの前記推定されたＲＴＰタイムスタンプが、以下の式に基づいて計算され、
【数２】
2018529296.tif 000002
上式で、
ＲＴPDCP,f＝前記失敗したパケットのＰＤＣＰ受信時間、
ＲＴPDCP,sd＝前記前の正常に復号されたパケットのＰＤＣＰ受信時間、
ＴＳRTP,sd＝前記前の正常に復号されたパケットのＲＴＰタイムスタンプ、および
ｎは変換係数である、
請求項６に記載の方法。
【請求項９】
前記失敗した少なくとも１つのパケットの前記推定されたＲＴＰタイムスタンプが、以下の式に基づいて計算され、
【数３】
2018529296.tif 000003
上式で、
ＴＳRTP,sd＝前記前の正常に復号されたパケットのＲＴＰタイムスタンプ、
ＳＮRTP,est＝前記失敗したパケットの前記推定されたＲＴＰ  ＳＮ、
ＳＮRTP,sd＝前記前の正常に復号されたパケットの前記ＲＴＰ  ＳＮ、および
ｔc＝時間的変換手段
である、請求項７に記載の方法。
【請求項１０】
前記ＲＴＰパケットが、ボイスオーバーロングタームエボリューション（ＶｏＬＴＥ）パケットを備え、前記少なくとも１つのＲＴＰパラメータを推定することは、
前記失敗した少なくとも１つのパケットと前記前の正常に復号されたパケットとが同じトークスパートの一部であるとき、前記失敗した少なくとも１つのパケットの前記推定されたＲＴＰ  ＳＮと、前記前の正常に復号されたパケットのＲＴＰ  ＳＮとの間の差に基づいて、前記失敗した少なくとも１つのパケットのＲＴＰタイムスタンプを推定することと、
前記失敗した少なくとも１つのパケットと前記前の正常に復号されたパケットとが同じトークスパートの一部でないとき、前記失敗した少なくとも１つのパケットのＰＤＣＰ受信時間と、前記前の正常に復号されたパケットのＰＤＣＰ受信時間との間の差に基づいて、前記失敗した少なくとも１つのパケットのＲＴＰタイムスタンプを推定することと
をさらに備える、請求項４に記載の方法。
【請求項１１】
前記少なくとも１つのＲＴＰパラメータを使用して、前記失敗した少なくとも１つのパケットを復号することが、
前記推定された少なくともＲＴＰパラメータを使用して、前記失敗した少なくとも１つのパケットを復号するためにＲＯＨＣを適用することと、
前記失敗した少なくとも１つのパケットについて別の復号失敗を経験することと、
変更された推定されたＲＴＰタイムスタンプを生成するために、前記推定されたＲＴＰタイムスタンプを所定の値だけ変更することと、
前記変更された推定されたＲＴＰタイムスタンプを使用して、前記失敗した少なくとも１つのパケットを復号することと
を備える、請求項６に記載の方法。
【請求項１２】
前記変更された推定されたＲＴＰタイムスタンプを使用して、前記失敗した少なくとも１つのパケットを復号することは、前記失敗した少なくとも１つのパケットが正常に復号されるかまたはしきい値に達するまで、前記推定されたＲＴＰタイムスタンプを所定の増分ずつ連続的に変更することをさらに備える、請求項１１に記載の方法。
【請求項１３】
前記しきい値が、経過時間および試行の数のうちの少なくとも１つを備える、請求項１２に記載の方法。
【請求項１４】
前記ＲＴＰパケットが、ボイスオーバーロングタームエボリューション（ＶｏＬＴＥ）パケットを備える、請求項１に記載の方法。
【請求項１５】
ワイヤレス通信のための装置であって、
ワイヤレスチャネル上で複数のリアルタイムトランスポート（ＲＴＰ）パケットを受信するための手段と、前記複数のＲＴＰパケットの各々は、少なくとも１つのＲＴＰパラメータと、少なくとも１つのパケットデータコンバージェンスプロトコル（ＰＤＣＰ）パラメータとを含む、
前記受信されたＲＴＰパケットを復号するために、ロバストヘッダ圧縮（ＲＯＨＣ）伸張を適用するための手段と、ここにおいて、復号失敗が前記パケットのうちの少なくとも１つについて発生する、
前記少なくとも１つのＰＤＣＰパラメータのうちの対応するＰＤＣＰパラメータに基づいて、前記失敗した少なくとも１つのパケットの少なくとも１つのＲＴＰパラメータを推定するための手段と、
前記少なくとも１つの推定されたＲＴＰパラメータを使用して、前記失敗した少なくとも１つのパケットを復号するための手段と
を備える、装置。
【請求項１６】
前記少なくとも１つの推定されたＲＴＰパラメータが、ＲＴＰシーケンス番号（ＳＮ）とＲＴＰタイムスタンプとを備える、請求項１５に記載の装置。
【請求項１７】
前記対応するＰＤＣＰパラメータが、ＰＤＣＰ  ＳＮとＰＤＣＰ受信時間とを備える、請求項１６に記載の装置。
【請求項１８】
前記少なくとも１つのＲＴＰパラメータを推定するための前記手段が、前記失敗した少なくとも１つのパケットのＰＤＣＰシーケンス番号（ＳＮ）と、前の正常に復号されたパケットのＰＤＣＰ  ＳＮとの間の差に基づいて、前記失敗した少なくとも１つのパケットのＲＴＰ  ＳＮを推定するための手段を備える、請求項１５に記載の装置。
【請求項１９】
前記失敗した少なくとも１つのパケットの前記推定されたＲＴＰ  ＳＮが、以下の式に基づいて計算され、
【数４】
2018529296.tif 000004
上式で、
ＳＮPDCP,f＝前記失敗した少なくとも１つのパケットのＰＤＣＰ  ＳＮ、
ＳＮPDCP,sd＝前記前の正常に復号されたパケットのＰＤＣＰ  ＳＮ、および
ＳＮRTP,sd＝前記前の正常に復号されたパケットのＲＴＰ  ＳＮ
である、請求項１８に記載の装置。
【請求項２０】
前記少なくとも１つのＲＴＰパラメータを推定するための前記手段が、推定されたＲＴＰタイムスタンプを生成するために、前記失敗した少なくとも１つのパケットのＰＤＣＰ受信時間と、前記前の正常に復号されたパケットのＰＤＣＰ受信時間との間の差に基づいて、前記失敗した少なくとも１つのパケットのＲＴＰタイムスタンプを推定するための手段をさらに備える、請求項１８に記載の装置。
【請求項２１】
前記少なくとも１つのＲＴＰパラメータを推定するための前記手段が、前記失敗した少なくとも１つのパケットの前記推定されたＲＴＰ  ＳＮと、前記前の正常に復号されたパケットのＲＴＰ  ＳＮとの間の差に基づいて、前記失敗した少なくとも１つのパケットのＲＴＰタイムスタンプを推定するための手段をさらに備える、請求項１８に記載の装置。
【請求項２２】
前記失敗した少なくとも１つのパケットの前記推定されたＲＴＰタイムスタンプが、以下の式に基づいて計算され、
【数５】
2018529296.tif 000005
上式で、
ＲＴPDCP,f＝前記失敗したパケットのＰＤＣＰ受信時間、
ＲＴPDCP,sd＝前記前の正常に復号されたパケットのＰＤＣＰ受信時間、
ＴＳRTP,sd＝前記前の正常に復号されたパケットのＲＴＰタイムスタンプ、および
ｎは変換係数である、
請求項２０に記載の装置。
【請求項２３】
前記失敗した少なくとも１つのパケットの前記推定されたＲＴＰタイムスタンプが、以下の式に基づいて計算され、
【数６】
2018529296.tif 000006
上式で、
ＴＳRTP,sd＝前記前の正常に復号されたパケットのＲＴＰタイムスタンプ、
ＳＮRTP,est＝前記失敗したパケットの前記推定されたＲＴＰ  ＳＮ、
ＳＮRTP,sd＝前記前の正常に復号されたパケットの前記ＲＴＰ  ＳＮ、および
ｔc＝時間的変換手段
である、請求項２１に記載の装置。
【請求項２４】
前記ＲＴＰパケットが、ボイスオーバーロングタームエボリューション（ＶｏＬＴＥ）パケットを備え、前記少なくとも１つのＲＴＰパラメータを推定するための前記手段は、
前記失敗した少なくとも１つのパケットと前記前の正常に復号されたパケットとが同じトークスパートの一部であるとき、前記失敗した少なくとも１つのパケットの前記推定されたＲＴＰ  ＳＮと、前記前の正常に復号されたパケットのＲＴＰ  ＳＮとの間の差に基づいて、前記失敗した少なくとも１つのパケットのＲＴＰタイムスタンプを推定するための手段と、
前記失敗した少なくとも１つのパケットと前記前の正常に復号されたパケットとが同じトークスパートの一部でないとき、前記失敗した少なくとも１つのパケットのＰＤＣＰ受信時間と、前記前の正常に復号されたパケットのＰＤＣＰ受信時間との間の差に基づいて、前記失敗した少なくとも１つのパケットのＲＴＰタイムスタンプを推定するための手段と
をさらに備える、請求項１８に記載の装置。
【請求項２５】
前記少なくとも１つのＲＴＰパラメータを使用して、前記失敗した少なくとも１つのパケットを復号するための前記手段が、
前記推定された少なくともＲＴＰパラメータを使用して、前記失敗した少なくとも１つのパケットを復号するためにＲＯＨＣを適用するための手段と、
前記失敗した少なくとも１つのパケットについて別の復号失敗を経験するための手段と、
変更された推定されたＲＴＰタイムスタンプを生成するために、前記推定されたＲＴＰタイムスタンプを所定の値だけ変更するための手段と、
前記変更された推定されたＲＴＰタイムスタンプを使用して、前記失敗した少なくとも１つのパケットを復号するための手段と
を備える、請求項２０に記載の装置。
【請求項２６】
前記変更された推定されたＲＴＰタイムスタンプを使用して、前記失敗した少なくとも１つのパケットを復号するための前記手段は、前記失敗した少なくとも１つのパケットが正常に復号されるかまたはしきい値に達するまで、前記推定されたＲＴＰタイムスタンプを所定の増分ずつ連続的に変更するための手段をさらに備える、請求項２５に記載の装置。
【請求項２７】
前記しきい値が、経過時間および試行の数のうちの少なくとも１つを備える、請求項２６に記載の装置。
【請求項２８】
前記ＲＴＰパケットが、ボイスオーバーロングタームエボリューション（ＶｏＬＴＥ）パケットを備える、請求項１５に記載の装置。
【請求項２９】
ワイヤレス通信のための装置であって、
メモリと、
前記メモリに結合された少なくとも１つのプロセッサと
を備え、前記少なくとも１つのプロセッサが、
ワイヤレスチャネル上で複数のリアルタイムトランスポート（ＲＴＰ）パケットを受信することと、前記複数のＲＴＰパケットの各々は、少なくとも１つのＲＴＰパラメータと、少なくとも１つのパケットデータコンバージェンスプロトコル（ＰＤＣＰ）パラメータとを含む、
前記受信されたＲＴＰパケットを復号するために、ロバストヘッダ圧縮（ＲＯＨＣ）伸張を適用することと、ここにおいて、復号失敗が前記パケットのうちの少なくとも１つについて発生する、
前記少なくとも１つのＰＤＣＰパラメータのうちの対応するＰＤＣＰパラメータに基づいて、前記失敗した少なくとも１つのパケットの少なくとも１つのＲＴＰパラメータを推定することと、
前記少なくとも１つの推定されたＲＴＰパラメータを使用して、前記失敗した少なくとも１つのパケットを復号することと
を行うように構成された、装置。
【請求項３０】
前記少なくとも１つの推定されたＲＴＰパラメータが、ＲＴＰシーケンス番号（ＳＮ）とＲＴＰタイムスタンプとを備える、請求項２９に記載の装置。
【請求項３１】
前記対応するＰＤＣＰパラメータが、ＰＤＣＰ  ＳＮとＰＤＣＰ受信時間とを備える、請求項３０に記載の装置。
【請求項３２】
前記少なくとも１つのＲＴＰパラメータを推定することが、前記失敗した少なくとも１つのパケットのＰＤＣＰシーケンス番号（ＳＮ）と、前の正常に復号されたパケットのＰＤＣＰ  ＳＮとの間の差に基づいて、前記失敗した少なくとも１つのパケットのＲＴＰ  ＳＮを推定することを備える、請求項２９に記載の装置。
【請求項３３】
前記失敗した少なくとも１つのパケットの前記推定されたＲＴＰ  ＳＮが、以下の式に基づいて計算され、
【数７】
2018529296.tif 000007
上式で、
ＳＮPDCP,f＝前記失敗した少なくとも１つのパケットのＰＤＣＰ  ＳＮ、
ＳＮPDCP,sd＝前記前の正常に復号されたパケットのＰＤＣＰ  ＳＮ、および
ＳＮRTP,sd＝前記前の正常に復号されたパケットのＲＴＰ  ＳＮ
である、請求項３２に記載の装置。
【請求項３４】
前記少なくとも１つのＲＴＰパラメータを推定することが、推定されたＲＴＰタイムスタンプを生成するために、前記失敗した少なくとも１つのパケットのＰＤＣＰ受信時間と、前記前の正常に復号されたパケットのＰＤＣＰ受信時間との間の差に基づいて、前記失敗した少なくとも１つのパケットのＲＴＰタイムスタンプを推定することをさらに備える、請求項３２に記載の装置。
【請求項３５】
前記少なくとも１つのＲＴＰパラメータを推定することが、前記失敗した少なくとも１つのパケットの前記推定されたＲＴＰ  ＳＮと、前記前の正常に復号されたパケットのＲＴＰ  ＳＮとの間の差に基づいて、前記失敗した少なくとも１つのパケットのＲＴＰタイムスタンプを推定することをさらに備える、請求項３２に記載の装置。
【請求項３６】
前記失敗した少なくとも１つのパケットの前記推定されたＲＴＰタイムスタンプが、以下の式に基づいて計算され、
【数８】
2018529296.tif 000008
上式で、
ＲＴPDCP,f＝前記失敗したパケットのＰＤＣＰ受信時間、
ＲＴPDCP,sd＝前記前の正常に復号されたパケットのＰＤＣＰ受信時間、
ＴＳRTP,sd＝前記前の正常に復号されたパケットのＲＴＰタイムスタンプ、および
ｎは変換係数である、
請求項３４に記載の装置。
【請求項３７】
前記失敗した少なくとも１つのパケットの前記推定されたＲＴＰタイムスタンプが、以下の式に基づいて計算され、
【数９】
2018529296.tif 000009
上式で、
ＴＳRTP,sd＝前記前の正常に復号されたパケットのＲＴＰタイムスタンプ、
ＳＮRTP,est＝前記失敗したパケットの前記推定されたＲＴＰ  ＳＮ、
ＳＮRTP,sd＝前記前の正常に復号されたパケットの前記ＲＴＰ  ＳＮ、および
ｔc＝時間的変換手段
である、請求項３５に記載の装置。
【請求項３８】
前記ＲＴＰパケットが、ボイスオーバーロングタームエボリューション（ＶｏＬＴＥ）パケットを備え、前記少なくとも１つのＲＴＰパラメータを推定することは、
前記失敗した少なくとも１つのパケットと前記前の正常に復号されたパケットとが同じトークスパートの一部であるとき、前記失敗した少なくとも１つのパケットの前記推定されたＲＴＰ  ＳＮと、前記前の正常に復号されたパケットのＲＴＰ  ＳＮとの間の差に基づいて、前記失敗した少なくとも１つのパケットのＲＴＰタイムスタンプを推定することと、
前記失敗した少なくとも１つのパケットと前記前の正常に復号されたパケットとが同じトークスパートの一部でないとき、前記失敗した少なくとも１つのパケットのＰＤＣＰ受信時間と、前記前の正常に復号されたパケットのＰＤＣＰ受信時間との間の差に基づいて、前記失敗した少なくとも１つのパケットのＲＴＰタイムスタンプを推定することと
をさらに備える、請求項３２に記載の装置。
【請求項３９】
前記少なくとも１つのＲＴＰパラメータを使用して、前記失敗した少なくとも１つのパケットを復号することが、
前記推定された少なくともＲＴＰパラメータを使用して、前記失敗した少なくとも１つのパケットを復号するためにＲＯＨＣを適用すること、
前記失敗した少なくとも１つのパケットについて別の復号失敗を経験すること、
変更された推定されたＲＴＰタイムスタンプを生成するために、前記推定されたＲＴＰタイムスタンプを所定の値だけ変更すること、
前記変更された推定されたＲＴＰタイムスタンプを使用して、前記失敗した少なくとも１つのパケットを復号すること
を備える、請求項３４に記載の装置。
【請求項４０】
前記変更された推定されたＲＴＰタイムスタンプを使用して、前記失敗した少なくとも１つのパケットを復号することは、前記失敗した少なくとも１つのパケットが正常に復号されるかまたはしきい値に達するまで、前記推定されたＲＴＰタイムスタンプを所定の増分ずつ連続的に変更することをさらに備える、請求項３９に記載の装置。
【請求項４１】
前記しきい値が、経過時間および試行の数のうちの少なくとも１つを備える、請求項４０に記載の装置。
【請求項４２】
前記ＲＴＰパケットが、ボイスオーバーロングタームエボリューション（ＶｏＬＴＥ）パケットを備える、請求項２９に記載の装置。